(57)【要約】      （修正有）【課題】シート部がフレーム上で直接折り畳め、折り畳み体積が小さくなる乳母車を提供する。【解決手段】乳母車において、フレームとシート部で構成され、該フレームに回転可能なベースが設けられ、該シート部は嵌合シートを備えて該ベースと嵌合され、該シート部は布製シートとシート上パイプ４２、シート下パイプ４３で構成され、該シート上パイプとシート下パイプの間に折り畳みジョイント６が設けられたことを特徴として乳母車を形成する。【選択図】図５
0003174471.tif 000002
【実用新案登録請求の範囲】
【請求項１】
乳母車において、フレームとシート部で構成され、該フレームに回転可能なベースが設けられ、該シート部は嵌合シートを備えて該ベースと嵌合され、該シート部は布製シートとシート上パイプ、シート下パイプで構成され、該シート上パイプとシート下パイプの間に折り畳みジョイントが設けられたことを特徴とする、乳母車。
【請求項２】
請求項１記載の乳母車において、該折り畳みジョイントは、
該シート上パイプの底端に固定され、外側面に切欠きを備えた上ジョイントと、
スプリングを介して該上ジョイントの切欠き内に設置された固定ブロックと、
該固定ブロックに対応する切欠きを備えた押し片と、
該シート下パイプの上端に固定され、内側面に該固定ブロックに対応する位置決め溝が設けられた下ジョイントと、該シート上パイプの外側に設けられ、底端にスライドブロックが接続されたレバーと、該シート上パイプ内部に設けられ、一端が該押し片に固定され、且つスプリングが嵌合されて、別端は該スライドブロックに固定された連動部品と、を包含したことを特徴とする、乳母車。
【請求項３】
請求項１記載の乳母車において、該折り畳みジョイントは、
該シート上パイプの底端に固定され、外側面に切欠きを備えた上ジョイントと、
スプリングを介して該上ジョイントの切欠き内に設置された固定ブロックと、
該固定ブロックに対応する切欠きを備えた押し片と、
該シート下パイプの上端に固定され、内側面に該固定ブロックに対応する位置決め溝が設けられた下ジョイントと、該シート上パイプの外側に設けられ、底端にスライドブロックを備えた押しボタンと、該シート上パイプ内部に設けられ、一端が該固定ブロックに固定され、別端が該スライドブロックに固定された連動部品と、を包含したことを特徴とする、乳母車。
【考案の詳細な説明】
【技術分野】
【０００１】
本考案は乳母車に係り、シート部(４，１０)とフレーム２が連動して直接折り畳め、且つ操作が簡単で迅速であり、また、シート部がフレーム上で直接折り畳まれることで、折り畳み体積が比較的小さい構造とされたものに関する。
【背景技術】
【０００２】
周知の乳母車は、図１、２、３に示されるように、フレーム上に独立したシートベース１が設けられて、シート部と組み合わされ、簡単にシート部の方向を変換できる。しかし、シート部はフレームより突出するため、折り畳み時にサイズ（折り畳み体積）が過大（高く）になり、図４に示されるように、運搬或いは携行のいずれにも不便となり、且つシート部が、後方に向く時（図３）、シート部がフレームに干渉し、直接折り畳みができなくなる問題があり、このため、折り畳みの前に、先にシート部を取り外してから、折り畳みを行うために、操作が面倒で煩雑であり、また折り畳み時にフレームとシート部が分離されてふたつの部分となるため、紛失しやすくなり、運搬及び携行時の不便性が増した。
【考案の概要】
【考案が解決しようとする課題】
【０００３】
本考案の目的は、シート部がフレーム上で直接折り畳め、折り畳み体積が小さくなる乳母車を提供することにある。
【課題を解決するための手段】
【０００４】
請求項１の考案は、乳母車において、フレームとシート部で構成され、該フレームに回転可能なベースが設けられ、該シート部は嵌合シートを備えて該ベースと嵌合され、該シート部は布製シートとシート上パイプ、シート下パイプで構成され、該シート上パイプとシート下パイプの間に折り畳みジョイントが設けられたことを特徴とする、乳母車としている。
請求項２の考案は、請求項１記載の乳母車において、該折り畳みジョイントは、
該シート上パイプの底端に固定され、外側面に切欠きを備えた上ジョイントと、
スプリングを介して該上ジョイントの切欠き内に設置された固定ブロックと、
該固定ブロックに対応する切欠きを備えた押し片と、
該シート下パイプの上端に固定され、内側面に該固定ブロックに対応する位置決め溝が設けられた下ジョイントと、該シート上パイプの外側に設けられ、底端にスライドブロックが接続されたレバーと、該シート上パイプ内部に設けられ、一端が該押し片に固定され、且つスプリングが嵌合されて、別端は該スライドブロックに固定された連動部品と、を包含したことを特徴とする、乳母車としている。
請求項３の考案は、請求項１記載の乳母車において、該折り畳みジョイントは、
該シート上パイプの底端に固定され、外側面に切欠きを備えた上ジョイントと、
スプリングを介して該上ジョイントの切欠き内に設置された固定ブロックと、
該固定ブロックに対応する切欠きを備えた押し片と、
該シート下パイプの上端に固定され、内側面に該固定ブロックに対応する位置決め溝が設けられた下ジョイントと、該シート上パイプの外側に設けられ、底端にスライドブロックを備えた押しボタンと、該シート上パイプ内部に設けられ、一端が該固定ブロックに固定され、別端が該スライドブロックに固定された連動部品と、を包含したことを特徴とする、乳母車としている。  
【考案の効果】
【０００５】
本考案は、操作が簡単で迅速であり、折り畳み体積が比較的小さい。
【図面の簡単な説明】
【０００６】
【図１】周知の乳母車の分解図である。
【図２】周知の乳母車の立体図（一）である。
【図３】周知の乳母車の立体図（二）である。
【図４】周知の乳母車の折り畳み時の側面図である。
【図５】本考案中のシート部の立体図である。
【図６】本考案中のシート部の折り畳みジョイントの立体分解図である。
【図７】本考案中のシート部の折り畳みジョイントのロック状態の表示図（一）である。
【図８】本考案中のシート部の折り畳みジョイントのロック状態の表示図（二）である。
【図９】本考案中のシート部の折り畳みジョイントのアンロック状態の表示図（一）である。
【図１０】本考案中のシート部の折り畳みジョイントのアンロック状態の表示図（二）である。
【図１１】本考案中のシート部の折り畳み時の側面図である。
【図１２】本考案中のシート部の折り畳みジョイントの別の実施例の立体分解図である。
【図１３】本考案中のシート部の折り畳みジョイントの別の実施例のロック状態の表示図（一）である。
【図１４】本考案中のシート部の折り畳みジョイントの別の実施例のロック状態の表示図（二）である。
【図１５】本考案中のシート部の折り畳みジョイントの別の実施例のアンロック状態の表示図（一）である。
【図１６】本考案中のシート部の折り畳みジョイントの別の実施例のアンロック状態の表示図（二）である。
【考案を実施するための形態】
【０００７】
本考案の技術内容、構造特徴、達成する目的を詳細に説明するため、以下に実施例を挙げ並びに図面を組み合わせて説明する。
【０００８】
また、本考案の折り畳み時には、さらに折り畳み体積の縮小を達成でき、それは、シート部４に折り畳みジョイント６が設けられ、図５、図６に示されるように、そのうち、シート部４は布製シート４１とシート上パイプ４２とシート下パイプ４３で構成され、折り畳みジョイント６はシート上パイプ４２とシート下パイプ４３の間に設けられ、シート上パイプ４２の底端に固定されて外側面に対応する切欠き６１１を備えた上ジョイント６１と、スプリング６２１により該切欠き６１１内に置かれ、恒常的に上向きに付勢された二つの固定ブロック６２と、該上ジョイント６１の外側に設けられて、該固定ブロック６２に対応する切欠き６３１を備えた押し片６３と、該シート下パイプ４３上端に設けられて嵌合シート４０と一体であり、内側面に対応する位置決め溝６４１（図７参照）が設けられて、二つの該固定ブロック６２と対応し、固定部品６５（リベットなど）により該上ジョイント６１と連結され、固定ブロック６２と押し片６３がその中に位置決めされる下ジョイント６４と、該シート上パイプ４２の外に設けられ、底端にスライドブロック６７が接続され、該スライドブロック６７が該シート上パイプ４２の滑り溝４２１内に位置する（図８）レバー６６と、該シート上パイプ４２内部に設けられて、一端が該押し片６３に固定され、且つ外側にスプリング６９が嵌合され、別端が該スライドブロック６７に固定された連動部品６８（ワイヤなど）と、を包含する。
【０００９】
上述の構造により、シート部４が開かれる時、図５のように、固定ブロック６２は下ジョイント６４の切欠き６３１に係合され、図５、図７、図８に示されるとおりである。折り畳む時は、ただレバー６６を回して、スライドブロック６７、ワイヤ６８により押し片６３を駆動して回転させると、押し片６３が回転すると同時に、固定ブロック６２の一側の斜面が押圧され、固定ブロック６２が下向きに移動して下ジョイント６４の切欠き６１１より離脱し、この時、下向きにシート上パイプ４２を回すと、上ジョイント６１が回転し、シート部４が折り畳まれ、図９から図１１のとおりであり、シート部４を取り外さない状態で、直接折り畳め、半分の長さ（高さ）を減らすことができる。
【００１０】
上述のシート部４の左右二つの折り畳みジョイント６は、各部が独立作動する設計とされ、これにより、使用者は同時に操作しなければ折り畳めず、使用者の誤操作を防止できる。
【００１１】
使用者がレバー６６に対して力を加えない時、固定ブロック６２と押し片６３はスプリング６２１の開放張力により自動的に回転してもとの位置にもどり、この時、さらにシート上パイプ４２を上に回して展開すると、固定ブロック６２が自動的に下ジョイント６４の切欠き６１１に係合し、シート部４が展開位置決めされ、図５に示される状態に復帰する。
【００１２】
さらに図１２から図１４を参照されたい。これらは本考案の折り畳みジョイントのもう一つの実施例を示す。この折り畳みジョイント７は、シート上パイプ４２の底端に固定され、外側面に切欠き７１１を備えた上ジョイント７１、スプリング７３で該切欠き７１１内に置かれ、常に外向きに回転する状態に付勢された固定ブロック７２、該シート下パイプ４３の上端に固定され、内側面に対応する二つの位置決め溝７４１が設けられ、固定部品７５（リベットなど）で上ジョイント７１と連結され、固定ブロック７２が中に固定された下ジョイント７４、該シート上パイプ４２の上端中間外側に設けられ、底部にスライドブロック７７が設けられた押しボタン７６、該シート上パイプ４２の内部に設けられて、一端が該固定ブロック７２に固定され、別端が該スライドブロック７７に固定された連動部品（ワイヤ７８など）、及び、該スライドブロック７７に螺合されワイヤ７８の長さを調整するのに供される調節ネジ７９、以上を包含する。
【００１３】
該シート部４が開かれる時、固定ブロック７２と下ジョイントの位置決め溝７４１が係合固定され、折り畳む時は、ただ内向きに押しボタン７６を押せば、スライドブロック７７、ワイヤ７８を介して、固定ブロック７２が駆動回転し、固定ブロック７２が内向きに移動し下ジョイントの位置決め溝７４１より離脱し、続いて、下向きにシート上パイプ４２をまわして、シート部４が折り畳まれ、図１１、図１５、図１６のとおりであり、これにより、半分の長さ（高さ）を減らせる。反対に、使用者が押しボタン７６を押さない時、固定ブロック７２はスプリング７３の張力によりもとの位置にもどり、その後、シート上パイプ４２が上に回されて、固定ブロック７２が下ジョイントの位置決め溝７４１内に嵌め込まれることで、シート部４が展開状態で位置決めされ、図５、図１３、図１４に示されるようであり、上述の実施例と同じ作用効果を達成する。
【００１４】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１５】
１  シートベース          １０  シート部
４１  布製シート        ４２  シート上パイプ
４３  シート下パイプ    
６、７  折り畳みジョイント
６１、７１  上ジョイント      ６１１、７１１  切欠き
６２、７２  固定ブロック      ６２１、６９、７３  スプリング
６３  押し片                  ６３１  切欠き      ６４、７４  下ジョイント
６４１、７４１  位置決め溝    ６５、７５  固定部品
６６  レバー              ７６  押しボタン        ６７、７７  スライドブロック
６８、７８  連動部品（ワイヤ）        ７９  調節ネジ
【図１】
0003174471.tif 000003
【図２】
0003174471.tif 000004
【図３】
0003174471.tif 000005
【図４】
0003174471.tif 000006
【図５】
0003174471.tif 000007
【図６】
0003174471.tif 000008
【図７】
0003174471.tif 000009
【図８】
0003174471.tif 000010
【図９】
0003174471.tif 000011
【図１０】
0003174471.tif 000012
【図１１】
0003174471.tif 000013
【図１２】
0003174471.tif 000014
【図１３】
0003174471.tif 000015
【図１４】
0003174471.tif 000016
【図１５】
0003174471.tif 000017
【図１６】
0003174471.tif 000018